(57)【特許請求の範囲】
【請求項１】
排水口に配置され、形成された通水孔へ排水を通水させるとともに該排水中の混入物を捕捉する凹状の捕捉部と、
前記捕捉部の上端部外縁から張り出し、前記排水口に取り付けられる鍔部と、
前記捕捉部の上端部外縁に沿って前記鍔部に形成された環状の旋回流路と、
前記鍔部に形成され、前記鍔部の外部から前記旋回流路へ、前記旋回流路に旋回流を一方向へ発生させる方向から排水を流入させる流入路と、
前記鍔部に形成され、前記流入路へ向かって傾斜すると共に、前記流入路へ向かう傾斜勾配より小さく前記旋回流路へ向かって傾斜し、前記流入路へ排水を導水する導水傾斜面と、
を有する混入物捕捉具。
【請求項２】
前記流入路は、前記旋回流路の接線方向に沿って形成されている請求項１に記載の混入物捕捉具。
【請求項３】
前記導水傾斜面に排水孔が形成されている請求項１又は２に記載の混入物捕捉具。
【発明の詳細な説明】
【技術分野】
【０００１】
本発明は、排水口に取り付けられて、排水から混入物を捕捉する混入物捕捉具に関する。
【背景技術】
【０００２】
一般に、浴室や洗面台等の排水口には、捕捉網により混入物を排水中から捕捉するヘアキャッチャーが取り付けられている。しかし、捕捉網に捕捉された毛髪等の混入物は、この捕捉網に絡み付き易く、清掃時に取り除き難い。
【０００３】
これに対して、特許文献１のヘアキャッチャーでは、排水導入部を構成する立壁部により排水の旋回流を発生させ、この旋回流によって毛髪等をまとめることにより、毛髪等を取り除き易くしている。しかし、立壁部により旋回流を発生させるためには、多くの量の排水を一度にヘアキャッチャーへ流さなければならない。
【先行技術文献】
【特許文献】
【０００４】
【特許文献１】特開２００９−２０３７７０号公報
【発明の概要】
【発明が解決しようとする課題】
【０００５】
本発明は係る事実を考慮し、少ない量の排水でも旋回流を発生させることができる混入物捕捉具を提供することを課題とする。
【課題を解決するための手段】
【０００６】
請求項１に記載の発明は、排水口に配置され、形成された通水孔へ排水を通水させるとともに該排水中の混入物を捕捉する凹状の捕捉部と、前記捕捉部の上端部外縁から張り出し、前記排水口に取り付けられる鍔部と、前記捕捉部の上端部外縁に沿って前記鍔部に形成された環状の旋回流路と、前記鍔部に形成され、前記鍔部の外部から前記旋回流路へ、前記旋回流路に旋回流を一方向へ発生させる方向から排水を流入させる流入路と、前記鍔部に形成され、前記流入路へ向かって傾斜すると共に、前記流入路へ向かう傾斜勾配より小さく前記旋回流路へ向かって傾斜し、前記流入路へ排水を導水する導水傾斜面と、を有する混入物捕捉具である。
【０００７】
請求項１に記載の発明では、流入路から旋回流路へ流れ込んで旋回する排水を捕捉部内へ落とし込ませることにより、排水に混入された毛髪等の混入物が倒れた状態でまとめられて捕捉部上面に捕捉される。このため、捕捉した混入物が、立った状態で捕捉部の通水孔に刺さることがなくなって、通水孔に絡み付き難くなる。これにより、混入物捕捉具を清掃する際に、捕捉部から混入物が取り除き易くなる。
【０００８】
また、排水を流入路から旋回流路へ流すことにより旋回流路に一方向の旋回流を発生させるので、混入物捕捉具へ流れ込む排水の流量が少ない場合においても、旋回流を発生させることができる。
更に、混入物捕捉具へ流れ込む排水のほとんどが、導水傾斜面により流入路へ集められるので、混入物捕捉具へ流れ込む排水の流量がより少ない場合においても、旋回流を効率よく発生させることができる。
また、導水傾斜面から旋回流路へ流れ込む排水よりも、導水傾斜面から流入路へ流れ込む排水の割合を大きくすることができる。これによって、旋回流路に排水の旋回流を効果的に発生させることができる。
【０００９】
請求項２に記載の発明は、前記流入路は、前記旋回流路の接線方向に沿って形成されている。
【００１０】
請求項２に記載の発明では、流入路を旋回流路の接線方向に沿って形成することにより、流入路から旋回流路へ排水を滑らかに進入させることができ、旋回流路を乗り越えて直接捕捉部へ向かう排水が減るので、排水の旋回流を旋回流路に効果的に発生させることができる。
【００１５】
請求項３に記載の発明は、前記導水傾斜面に排水孔が形成されている。
【００１６】
請求項３に記載の発明では、導水傾斜面に排水孔を形成することにより、捕捉部へ流入しきれずに溢れた排水を、この排水孔から排出することができる。
【発明の効果】
【００１７】
本発明は上記構成としたので、少ない量の排水でも旋回流を発生させることができる。
【図面の簡単な説明】
【００１８】
【図１】本発明の実施形態に係るヘアキャッチャーの設置状況を示す側断面図である。
【図２】本発明の実施形態に係るヘアキャッチャーを示す斜視図である。
【図３】本発明の実施形態に係るヘアキャッチャーを示す平面図である。
【図４】本発明の実施形態に係る孔壁を示す平面図及び断面図である。
【図５】本発明の実施形態に係る孔壁の変形例を示す断面図である。
【図６】本発明の実施形態に係る孔壁の変形例を示す平面図である。
【図７】本発明の実施形態に係る孔壁の変形例を示す平面図である。
【図８】本発明の実施形態に係る孔壁の変形例を示す断面図である。
【発明を実施するための形態】
【００１９】
図を参照しながら、本発明の実施形態を説明する。まず、本発明の実施形態に係る混入物捕捉具について説明する。
【００２０】
本発明の実施形態では、図１の側断面図に示すように、浴室１０の洗い場１２に設けられた排水枡１４に、本発明の混入物捕捉具としてのヘアキャッチャー１６を取り付けた例を説明する。
【００２１】
浴室１０は、浴槽１８と、浴槽１８の隣に設けられ、シャワーや給湯栓等（不図示）が備えられた洗い場１２とによって構成されている。排水枡１４は、洗い場１２を構成する床面２０の浴槽１８側の端部に設けられている。
【００２２】
排水枡１４の天井面に形成された平面視にて略四角形の開口部２２は、平面視にて略四角形の板状のカバー２４により塞がれている。カバー２４は、排水枡１４の四隅に形成された段部２６上に着脱可能に載置されている。カバー２４の側面２８と、排水枡１４の内壁面３０との間には隙間３２が形成されており、床面２０上を流れる排水は、この隙間３２から排水枡１４内へ流入する（矢印３４）。
【００２３】
排水枡１４には、排水トラップ３６が取り付けられている。排水トラップ３６は、トラップ本体３８、中空の締め付けフランジ４０、及び封水筒４２により構成されている。
【００２４】
トラップ本体３８は、上部に形成された平面視にて略円形の排水口４４と、トラップ本体３８の左右に設けられ排水口４４と連通する接続口４６及び排出口４８とを備えている。排水口４４は、トラップ本体３８の上端部に設けられ排水口４４中心へ向かって略水平に張り出すフランジ部５０の先端部に囲まれるようにして形成されている。接続口４６は、接続管（不図示）を介して浴槽１８の防水パン（不図示）に接続されている。排出口４８は、排水管（不図示）を介して下水管（不図示）に接続されている。
【００２５】
封水筒４２は、排水口４４に挿入された状態で、下端面Ｓが、封水面Ｒよりも下側に位置し、且つトラップ本体３８の底面５６との間に隙間を有するようにして配置されている。封水面Ｒは、底面５６上に立設された筒状の側壁５８の上端面に囲まれて形成されている。
【００２６】
よって、排水枡１４から封水筒４２へ流入した排水は、側壁５８によって囲まれた領域Ｖを通って排出口４８へ排出され、浴槽１８の防水パンに接続された接続管から接続口４６へ流入した排水は、領域Ｖを通って排出口４８へ排出される。
【００２７】
排水枡１４の下端部には、排水枡１４の底面に形成された開口部５２中心に向かって略水平に張り出すフランジ部５４が設けられている。そして、フランジ部５４の先端部に取り付けられたパッキン６０を、フランジ部５０とフランジ部５４とで挟み込むようにして、締め付けフランジ４０をフランジ部５０に捩じ込むことによって、排水枡１４に排水トラップ３６を固定している。
【００２８】
封水筒４２は、締め付けフランジ４０の中空部６２に挿入され、封水筒４２の上端部から外側へ張り出すフランジ部６４を締め付けフランジ４０の下端部から中空部６２中心へ張り出すフランジ部６６上に載置した状態で、締め付けフランジ４０に固定されている。
【００２９】
図１に示すように、ヘアキャッチャー１６は、締め付けフランジ４０に取り付けられている。図２の斜視図、及び図３の平面図に示すように、ヘアキャッチャー１６は、樹脂によって一体に成形されており、捕捉部６８、鍔部７０、旋回流路７２、流入路７４、及び導水傾斜面７６を有している。
【００３０】
捕捉部６８は、下方に突出した略半球の凹状に形成されており、湾曲した上面８０と下面１２６とを有している。また、捕捉部６８は、排水口４４に配置されている。捕捉部６８の略全域には、円形の孔形状を有する複数の通水孔７８が形成されている。通水孔７８は、捕捉部６８を略鉛直に貫通するようにして形成されており、これによって、混入物としての毛髪が混入された排水が捕捉部６８の上面８０に流入したときに、排水は通水孔７８を通過して通水され、毛髪は上面８０に残って捕捉される。
【００３１】
鍔部７０は、捕捉部６８の上端部外縁から略水平へ円板状に張り出し、外周部８２が締め付けフランジ４０の中空部６２内壁に固定されている。すなわち、鍔部７０は、締め付けフランジ４０を介して排水口４４に取り付けられている。
【００３２】
図２に示すように、旋回流路７２は、捕捉部６８の上端部外縁に沿って鍔部７０上に略水平に形成された、平面視にて円環状の流路である。旋回流路７２は、外側（外周部８２側）が内側（捕捉部６８中心側）よりも高くなる円弧状（略１／４円状）の横断面を有する段部８４により形成されている。
【００３３】
流入路７４は、鍔部７０上に、旋回流路７２の接線方向に沿って４つ形成されている。流入路７４は、旋回流路７２の周方向に対して等間隔に配置され、旋回流路７２から外周部８２へ向かって上り勾配になっている。また、流入路７４は、側面視にて右側が左側よりも高くなる円弧状（略１／４円状）の横断面を有する段部８６により形成されている。これにより、流入路７４は、外周部８２から旋回流路７２へ、排水を流入させる。
【００３４】
段部８４の上縁と段部８６の上縁とは、旋回流路７２と流入路７４とが合流する点Ｐ１で一致しており、この点Ｐ１から旋回流路７２の周方向半時計回りに向かって段部８４上縁高さが徐々に滑らかに低くなり、旋回流路７２と流入路７４とが次に合流する点Ｐ２で、段部８４の上縁と段部８６の下縁とが一致している。
【００３５】
図３に示すように、導水傾斜面７６は、３つの辺Ｑ１、Ｑ２、Ｑ３に囲まれて鍔部７０の上面に形成された傾斜面である。辺Ｑ１は、外周部８２の外周縁から点Ｐ２までの流入路７４の段部８６下縁からなり、辺Ｑ２は、外周部８２の外周縁から点Ｐ１までの流入路７４の段部８６上縁と、この段部８６上縁とつながる点Ｐ２までの段部８４上縁からなり、辺Ｑ３は、隣り合う一方の流入路７４の段部８６上縁から他方の流入路７４の段部８６下縁までの下り勾配となる外周部８２の外周縁からなる。
【００３６】
このような形状により、導水傾斜面７６は、隣り合う一方の流入路７４の段部８６上縁と、他方の流入路７４の段部８６下縁とを結んで、流入路７４へ向かって傾斜し、流入路７４へ排水を導水する。
【００３７】
また、導水傾斜面７６の縦方向（捕捉部６８の上端部外縁を平面視した半径方向）の傾斜は、導水傾斜面７６の横方向（捕捉部６８の上端部外縁を平面視した周方向）の傾斜よりも小さくなっている。すなわち、導水傾斜面７６は、流入路７４へ向かう傾斜勾配より小さく旋回流路７２へ向かって傾斜している。また、捕捉部６８の上端部外縁を平面視した半径の点Ｐ１を通る延長線上にある外周部８２の外周縁に位置する点Ｐ３の高さと、ヘアキャッチャー１６の周囲に位置する締め付けフランジ４０上面（以下、「排水枡１４の底面８８」とする）の高さとは同じになっている。
【００３８】
これにより、排水枡１４の底面８８から導水傾斜面７６へ流れ込む排水を流入路７４へ導水する。導水傾斜面７６には、排水孔９０が形成されており、捕捉部６８へ流入しきれずに溢れた排水を、この排水孔９０から排出する。
【００３９】
図４の上側には、通水孔７８の平面拡大図が描かれており、図４の下側には、図４の上側に描かれた平面拡大図のＡ−Ａ断面図が描かれている。図４に示すように、捕捉部６８には、通水孔７８により孔壁１３０が形成されている。また、湾曲した捕捉部６８上面の通水孔７８の周りには、第１凹部としてのテーパー部９２が形成されている。孔壁１３０の上部壁面としてのテーパー部９２の周壁は、通水孔７８の中心下方へ向かって傾斜している。また、湾曲した捕捉部６８下面の通水孔７８の周りには、第２凹部としてのテーパー部９４が形成されている。孔壁１３０の下部壁面としてのテーパー部９４の周壁は、通水孔７８の中心上方へ向かって傾斜している。すなわち、通水孔７８により捕捉部６８に形成された孔壁１３０の断面形状は、孔壁１３０の上部が上下方向中央部よりも幅狭に（壁厚が薄く）なっており、孔壁１３０の下部が上下方向中央部よりも幅狭に（壁厚が薄く）なっている。
【００４０】
隣り合うテーパー部９２の周壁頂部（上端部）は、一致して稜線９６を形成し、隣り合うテーパー部９４の周壁頂部（下端部）は、一致して稜線９８を形成している。稜線９６は、平面視にて多角形としての正六角形を形成し、稜線９６の描く全体形状は、平面視にてハニカム形状となっている。また、稜線９８は、背面視にて多角形としての正六角形を形成し、稜線９８の描く全体形状は、背面視にてハニカム形状となっている。
【００４１】
また、テーパー部９２の周壁下端部と、テーパー部９４の周壁上端部とが、一致して菱形の孔壁１３０断面を形成しており、この一致した内縁部１００により通水孔７８が形成されている。
【００４２】
次に、本発明の実施形態である混入物捕捉具の作用及び効果について説明する。
【００４３】
図１に示すように、洗い場１２の床面２０上を流れ、隙間３２から排水枡１４内へ流入した排水は、まず、排水枡１４の底面８８から鍔部７０の外周部８２へ向かって流れ込む。この排水には、混入物としての毛髪が混入されている。
【００４４】
図３に示すように、鍔部７０の外周部８２へ向かって流れ込む排水の内、流入路７４の先端部へ向かう排水は、流入路７４へ直接導水され（矢印１０６）、側面視にて点Ｐ３の右側の外周部８２へ向かう排水は、導水傾斜面７６上に流れ込んだ後に流入路７４へ導水され（矢印１０８）、側面視にて点Ｐ３の左側の外周部８２へ向かう排水は、底面８８から上方へ切り立つ外周部８２の側面１０２（図２を参照のこと）に沿って左右に迂回した（矢印１１０）後に流入路７４の先端部から流入路７４へ導水される（矢印１０６）。なお、鍔部７０の外周部８２へ向かって流れ込む排水が多量の場合には、側面視にて点Ｐ３の左側の外周部８２へ向かう排水は、側面１０２から乗り上げて導水傾斜面７６上に流れ込んだ後に流入路７４へ導水される。このようにして、排水枡１４内へ流入した排水のほとんどが、導水傾斜面７６により流入路７４へ集められる。
【００４５】
次に、流入路７４へ導水された排水は、旋回流路７２へ流れ込んで旋回流路７２を旋回する（矢印１０４）。
【００４６】
次に、旋回流路７２を旋回する排水は、旋回流となって毛髪を伴いながら捕捉部６８内へ落とし込まれる。そして、捕捉部６８内へ落とし込まれた排水は、捕捉部６８の上面８０に流入して通水孔７８を通過し、毛髪は、環状等にまとめられた状態で上面８０に残って捕捉される。また、排水は、捕捉部６８内で保水されることなく、通水孔７８から流出される。
【００４７】
よって、旋回流を生じさせた排水を捕捉部６８内へ落とし込ませることにより、この排水を小さい流入角度（水平面に対する排水の流入方向の角度）で捕捉部６８の上面８０に流入させることができる。これにより、毛髪が倒れた状態で環状等にまとめられて捕捉部６８の上面８０に捕捉される。すなわち、捕捉した毛髪が、立った状態で捕捉部６８の通水孔７８に刺さることがなくなり、通水孔７８に絡み付き難くなる。これにより、ヘアキャッチャー１６を清掃する際に、捕捉部６８から毛髪が取り除き易くなる。
【００４８】
また、排水を流入路７４から旋回流路７２へ流すことにより、旋回流路７２に一方向の旋回流を発生させるので、ヘアキャッチャー１６へ流れ込む排水の流量が少ない場合においても、旋回流を発生させることができる。また、ヘアキャッチャー１６へ流れ込む排水のほとんどが、導水傾斜面７６により流入路７４へ集められるので、ヘアキャッチャー１６へ流れ込む排水の流量がより少ない場合においても、旋回流を効率よく発生させることができる。
【００４９】
また、導水傾斜面７６は、流入路７４へ向かう傾斜勾配より小さく旋回流路７２へ向かって傾斜しているので、導水傾斜面７６から旋回流路７２へ流れ込む排水よりも、導水傾斜面７６から流入路７４へ流れ込む排水の割合を大きくすることができる。これによって、旋回流路７２に排水の旋回流を効果的に発生させることができる。
【００５０】
また、鍔部７０の点Ｐ３の高さが、排水枡１４の底面８８の高さと同じになっているので、鍔部７０の外周部８２の側面１０２により、ヘアキャッチャー１６へ流れ込む排水の多くを流入路７４の先端部から導水することができるので、旋回流路７２に、排水の旋回流を効果的に発生させることができる。
【００５１】
また、排水は、捕捉部６８内で保水されることなく通水孔７８から流出されるので、通水孔７８の孔径を保水可能な大きさにしなくてもよい。すなわち、通水孔７８の孔径を小さくする必要がないので、通水孔７８の孔径を大きくして高い通水性を確保することができる。
【００５２】
また、捕捉部６８上面の通水孔７８の周りに第１凹部としてのテーパー部９２を形成して孔壁１３０の上部を幅狭にすることにより、テーパー部９２が形成されていない（孔壁１３０の上部を幅狭にしない）場合と比べて、孔壁１３０の上端面の面積を小さくすることができる。これによって、孔壁１３０の上端面と、混入物としての毛髪との接触する面積を小さくすることができるので、捕捉した毛髪が捕捉部６８の上面８０にへばり付き難くなる。これにより、ヘアキャッチャー１６を清掃する際に、捕捉部６８から毛髪が取り除き易くなる。
【００５３】
また、捕捉部６８上面の通水孔７８の周りに、第１凹部としてのテーパー部９２を形成することにより、第１凹部には段差面がないので、排水を残さずに孔壁１３０上部から流れ落とすことができる。これにより、孔壁１３０上部にカビが発生すること等を防ぐことができる。
【００５４】
特に、本発明の実施形態では、隣り合うテーパー部９２の周壁頂部（上端部）が一致して稜線９６を形成しているので、孔壁１３０の上端面の面積をより小さくすることができ、また、高い水切り効果が期待できる。
【００５５】
また、捕捉部６８上面の通水孔７８の周りに、第１凹部としてのテーパー部９２を形成することにより、通水孔７８の内壁面を、傾斜面と鉛直面、又は傾斜面のみで構成することができる。すなわち、テーパー部９２が形成されていない通水孔７８と比べて、通水孔７８を構成する鉛直面の面積を小さくする又は無くすることができる。これによって、通水孔７８に進入した排水の表面張力を小さくして通水性を向上させることができ、捕捉部６８から排水が排出された後に、通水孔７８に排水が残ってしまうことを防ぐことができる。
【００５６】
また、捕捉部６８下面の通水孔７８の周りに第２凹部としてのテーパー部９４を形成して孔壁１３０の下部を幅狭にすることにより、テーパー部９４が形成されていない（孔壁１３０の下部を幅狭にしない）場合と比べて、孔壁１３０の下端面の面積を小さくすることができる。これによって、孔壁１３０下部に付着されて残る排水を減らすことができ、残水により孔壁１３０下部にカビが発生すること等を防ぐことができる。また、第２凹部としてのテーパー部９４を形成することにより、第２凹部には段差面がないので、孔壁１３０下部に付着されて残る排水を減らすことができる。
【００５７】
特に、本発明の実施形態では、隣り合うテーパー部９４の周壁頂部（下端部）が一致して稜線９８を形成しているので、孔壁１３０の下端面の面積をより小さくすることができる。また、捕捉部６８の下面１２６は、下方へ突出した湾曲面を形成しているので、稜線９８を伝って残水を捕捉部６８の中央部付近に集水させ、水滴を大きくして落下させることができるので、捕捉部６８の下面１２６に付着されて残る排水をより減らすことができる。
【００５８】
また、捕捉部６８下面の通水孔７８の周りに、第２凹部としてのテーパー部９４を形成することにより、通水孔７８の内壁面を、傾斜面と鉛直面、又は傾斜面のみで構成することができる。すなわち、テーパー部９４が形成されていない通水孔７８と比べて、通水孔７８を構成する鉛直面の面積を小さくする又は無くすることができる。これによって、通水孔７８に進入した排水の表面張力を小さくして通水性を向上させることができ、捕捉部６８から排水が排出された後に、通水孔７８に排水が残ってしまうことを防ぐことができる。
【００５９】
特に、本発明の実施形態では、テーパー部９２の周壁下端部と、テーパー部９４の周壁上端部とが一致して菱形の孔壁１３０断面を形成しているので、通水孔７８に進入した排水の表面張力をより小さくして通水性をより向上させることができる。
【００６０】
以上、本発明の実施形態について説明した。
【００６１】
なお、本発明の実施形態では、浴室１０に設けられた排水口４４に、ヘアキャッチャー１６を設けた例を示したが、他の用途の排水口に設けてもよい。例えば、洗面台、台所の流し台に設けられた排水口にヘアキャッチャー１６を設けてもよい。
【００６２】
また、本発明の実施形態では、ヘアキャッチャー１６によって、排水から毛髪を捕捉する例を示したが、本発明の実施形態のヘキャッチャー１６によって、排水に混入された毛髪以外の混入物を排水から捕捉することができる。毛髪以外の混入物についても、排水の旋回流により混入物をまとめられた状態で捕捉することができる。特に、糸状の混入物であれば環状にまとめることが期待できる。
【００６３】
また、水以外の液体からなる廃液に対しても本発明の実施形態のヘアキャッチャー１６を適用することができる。すなわち、廃液口にヘアキャッチャー１６を取り付けて、この廃液口へ排出される廃液から混入物を捕捉することができる。
【００６４】
また、本発明の実施形態では、流入路７４を旋回流路７２の接線方向に沿って形成した例を示したが、流入路７４は、旋回流路７２に一方向（左旋回又は右旋回）の旋回流を発生させる方向から排水を流入させるように配置されていればよい。すなわち、流入路７４は、平面視にて旋回流路７２に対する法線上に沿って配置されていなければよい。流入路７４を旋回流路７２の接線方向に沿って形成すれば、流入路７４から旋回流路７２へ排水を滑らかに進入させることができ、旋回流路７２を乗り越えて直接捕捉部６８へ向かう排水が減るので、排水の旋回流を旋回流路７２に効果的に発生させることができる。なお、流入路７４は、排水が旋回流路７２で左旋回するように配置してもよいし、右旋回するように配置してもよい。また、流入路７４は、鍔部７０上に、いくつ形成してもよい。
【００６５】
また、本発明の実施形態では、鍔部７０の点Ｐ３の高さを、排水枡１４の底面８８の高さと同じにした例を示したが、流入路７４の先端部に位置する段部８６の上縁の高さと、排水枡１４の底面８８の高さとを同じにしてもよい。
【００６６】
また、本発明の実施形態では、点Ｐ１から旋回流路７２の周方向半時計回りに向かって段部８４上縁高さを徐々に低くした例を示したが、点Ｐ１から点Ｐ２までの辺Ｑ２に沿って、旋回流路７２と導水傾斜面７６との間に仕切り壁を設けるようにしてもよい。
【００６７】
また、本発明の実施形態では、捕捉部６８の略全域に複数の通水孔７８を形成した例を示したが、捕捉部６８の一部に複数の通水孔７８を形成してもよい。例えば、捕捉部６８の中心部付近のみに複数の通水孔７８を形成してもよい。
【００６８】
また、本発明の実施形態では、通水孔７８の孔形状を円形とした例を示したが、通水孔７８の孔形状は、どのような形状であってもよい。通水孔７８の孔形状は、通水性の高い円形とするのが好ましい。また、通水孔７８の孔径は、捕捉対象となる混入物の流出を抑止できる最大の大きさ以下であればよい。通水孔７８の孔径をできるだけ大きくした方が高い通水性が得られるので好ましい。
【００６９】
また、本発明の実施形態では、捕捉部６８上面の通水孔７８の周りに、第１凹部としてのテーパー部９２を形成した例を示したが、孔壁１３０の上端面の面積を小さくできれば、孔壁１３０上部をどのような形状にしてもよい。すなわち、孔壁１３０の断面形状において、孔壁１３０の上部が上下方向中央部よりも幅狭に（壁厚が薄く）なっていればよい。例えば、図５（ａ）の断面図に示すように、稜線を形成しないようにして、捕捉部６８上面の通水孔７８の周りにテーパー部１１２を形成するようにしてもよいし、図５（ｂ）の断面図に示すように、捕捉部６８上面の通水孔７８の周りにＬ字状の段部１１４を形成するようにしてもよい。
【００７０】
また、本発明の実施形態では、捕捉部６８下面の通水孔７８の周りに、第２凹部としてのテーパー部９４を形成した例を示したが、孔壁１３０の下端面の面積を小さくできれば、孔壁１３０下部をどのような形状にしてもよい。すなわち、孔壁１３０の断面形状において、孔壁１３０の下部が上下方向中央部よりも幅狭に（壁厚が薄く）なっていればよい。例えば、図５（ｃ）の断面図に示すように、稜線を形成しないようにして、捕捉部６８下面の通水孔７８の周りにテーパー部１１６を形成するようにしてもよいし、図５（ｄ）の断面図に示すように、捕捉部６８下面の通水孔７８の周りにＬ字状の段部１１８を形成するようにしてもよいし、図５（ｅ）の断面図に示すように、テーパー部９２の周壁下端部と、テーパー部９４の周壁上端部との間に、鉛直面１２０を有するようにしてもよい。テーパー部９２の周壁下端部と、テーパー部９４の周壁上端部とを一致させて菱形の孔壁１３０断面を形成すれば、通水孔７８に進入した排水の表面張力をより小さくして通水性をより向上させることができる。
【００７１】
また、本発明の実施形態で示した稜線９６、９８は（図４を参照のこと）、鋭利に尖らせてもよいし、丸みを持たせてもよい。また、円弧の頂部によって稜線９６、９８を構成するようにしてもよい。
【００７２】
また、本発明の実施形態では、稜線９６により、平面視にて正六角形を形成し、稜線９８により、背面視にて正六角形を形成した例を示したが、稜線９６、９８により、平面視や背面視にて正六角形以外の多角形を形成するようにしてもよい。例えば、図６、７の平面図に示すように、稜線９６、９８により、平面視や背面視にて四角形や三角形を形成してもよい。稜線９６により平面視にて正六角形を形成し、稜線９６の描く全体形状を平面視にてハニカム形状とすることにより、通水孔７８を平面視にて密に配置することができる。
【００７３】
また、本発明の実施形態で示した第１凹部には、図８（ａ）、（ｂ）の断面図に示すように、三角形や台形等の孔壁１３０断面を形成するテーパー部１２２、１２４が含まれる。すなわち、図８（ａ）、（ｂ）のテーパー部１２２、１２４は、「捕捉部６８上面の通水孔７８の周りに形成された第１凹部」を意味する。また、図８（ｃ）〜（ｆ）の断面図に示すように、孔壁１３０の左右一方のみにテーパー部１３２、１３４、１３６、１３８を形成してもよい。すなわち、図８（ｃ）、（ｄ）の孔壁１３０は、「通水孔７８により捕捉部６８に形成され上部が幅狭の孔壁」を意味し、図８（ｅ）、（ｆ）の孔壁１３０は、「通水孔７８により捕捉部６８に形成され下部が幅狭の孔壁」を意味する。
【００７４】
また、本発明の実施形態では、旋回流を生じさせた排水を捕捉部６８内へ落とし込ませることにより、毛髪を環状等にまとめられた状態で捕捉部６８の上面８０に捕捉する例を示したが、捕捉部６８は、上部や下部が幅狭の孔壁を有さないものであってもよく、そのような捕捉部においてもほぼ同様の効果を得ることができる。
【００７５】
以上、本発明の実施形態について説明したが、本発明はこうした実施形態に何等限定されるものでなく、本発明の要旨を逸脱しない範囲において、種々なる態様で実施し得ることは勿論である。
【符号の説明】
【００７６】
１６  ヘアキャッチャー（混入物捕捉具）
４４  排水口
６８  捕捉部
７０  鍔部
７２  旋回流路
７４  流入路
７６  導水傾斜面
７８  通水孔
９０  排水孔
【図１】
0005854750.tif 000002
【図２】
0005854750.tif 000003
【図３】
0005854750.tif 000004
【図４】
0005854750.tif 000005
【図５】
0005854750.tif 000006
【図６】
0005854750.tif 000007
【図７】
0005854750.tif 000008
【図８】
0005854750.tif 000009